(57)【要約】【課題】  安価で安全性が向上した磁気データ消去装置を簡易な構成により提供することを目的とする。【解決手段】  電源回路部２と、磁気記録媒体または磁気記録媒体を内蔵する機器を収容する収容部２８ａと、当該収容部の外周部に巻装された一次コイル１５及び二次コイル１７とを備え、一次コイルは電源回路部に接続され、二次コイルは短絡されており、電源回路部からの通電により一次コイルを励磁することにより二次コイルに誘導電流を発生させ、一次コイルと二次コイルとの相互作用により交番磁界を発生させ、当該交番磁界によって磁気記録媒体を消磁して、当該磁気記録媒体に記録された磁気データを消去する。【選択図】  図１
2007026574.tif 000002
【特許請求の範囲】
【請求項１】
電源回路部と、磁気記録媒体または磁気記録媒体を内蔵する機器を収容する収容部と、一次コイル及び二次コイルとを備え、一次コイルは電源回路部に接続され、二次コイルは短絡可能であり、電源回路部からの通電により一次コイルを励磁することにより二次コイルに誘導電流を発生させ、一次コイルと二次コイルとの相互作用により交番磁界を発生させ、収容部に収容された磁気記録媒体に記録された磁気データを消去することを特徴とする磁気データ消去装置。
【請求項２】
前記交番磁界は、時間の経過に連れて磁束密度の最大値が低下する減衰交番磁界であることを特徴とする請求項１に記載の磁気データ消去装置。
【請求項３】
前記電源回路部は、時間の経過に連れて波高値が低下する減衰交番電圧を生成することを特徴とする請求項１又は２に記載の磁気データ消去装置。
【請求項４】
前記電源回路部と一次コイルとの間にスイッチを備え、当該スイッチは、一次コイルに電源回路部から電圧が印加される状態と、一次コイルが短絡される状態とを切り換えるものであることを特徴とする請求項１乃至３のいずれか１項に記載の磁気データ消去装置。
【請求項５】
前記収容部は、磁気記録媒体または磁気記録媒体を内蔵する機器をそのまま収容可能な形状であることを特徴とする請求項１乃至４のいずれか１項に記載の磁気データ消去装置。
【請求項６】
一次コイル及び二次コイルは、収容部の外周部上の互いに離隔した位置に巻装されていることを特徴とする請求項１乃至５のいずれか１項に記載の磁気データ消去装置。
【請求項７】
一次コイル及び二次コイルのうち一方が収容部の外周部に巻装された上に他方が巻装されていることを特徴とする請求項１乃至６のいずれか１項に記載の磁気データ消去装置。
【請求項８】
一次コイル及び二次コイルは、入り交じって巻装されていることを特徴とする請求項１乃至７のいずれか１項に記載の磁気データ消去装置。
【請求項９】
電源回路部は、コンデンサと当該コンデンサに充電を行う充電回路を備え、前記コンデンサに充電された電荷を前記一次コイルを介して放電させて、前記収容部の内部に減衰交番磁界を発生させることを特徴とする請求項１乃至８のいずれか１項に記載の磁気データ消去装置。
【請求項１０】
二次コイルに通電可能であることを特徴とする請求項１乃至９のいずれか１項に記載の磁気データ消去装置。
【請求項１１】
二次側コンデンサーと、当該コンデンサに充電を行う充電回路を備え、前記コンデンサに充電された電荷を前記二次コイルを介して放電させることが可能であることを特徴とする請求項１０に記載の磁気データ消去装置。
【発明の詳細な説明】
【技術分野】
【０００１】
本発明は、磁気記録媒体に記録されたデータの消去処理を行う磁気データ消去装置に関する。
【背景技術】
【０００２】
アナログデータやデジタルデータを磁気により記録する磁気記録媒体には種々のものがある。例えば、アナログデータを記録する磁気記録媒体としては、ＶＨＳ(Video Home System )ビデオテープ、８ｍｍビデオテープなどがあり、デジタルデータを記録する磁気記録媒体には、汎用コンピュータ用の磁気テープ(MT:Magnetic Tape)などがある。また、光および磁気の双方を用いて記録する光磁気ディスク(MO:Magneto Optical Disc) なども実用化されている。
【０００３】
これらの磁気記録媒体を再利用や廃棄する場合には、データが他人に読み取られることを防止するために、データ消去ソフトなどを用いて磁気データの復元を不可能にしたり、ハードディスク自体を機械的に破壊するなどのセキュリティ対策が講じられていた。磁気記録媒体は、記録したデータを消去して再利用可能であるが、媒体を物理フォーマットや論理フォーマットしただけでは記録されたデータが消去されず、セキュリティの確保の面で問題があった。従って、再利用に際しては、セキュリティーを確保するべく無意味なデータを上書きして元のデータを消去する必要があり、多大な手間と時間を要していた。
【０００４】
そこで、本願発明者は、本願に先立って、特許文献１（特開２００５−７８７１３号）において、コンピュータに内蔵されたハードディスクや汎用コンピュータに用いられる磁気テープ(Magnetic Tape) などに記録された磁気データを完全に消去可能な磁気データ消去装置を提案した。この磁気データ消去装置を用いることにより、無意味なデータを上書きする手間や時間を要することなく、ハードディスクや磁気テープの記録データを短時間に確実に消去することができ、再利用に際してのセキュリティの確保を行うことが可能である。
【特許文献１】特開２００５−７８７１３号
【発明の開示】
【発明が解決しようとする課題】
【０００５】
ところが、特許文献１（特開２００５−７８７１３号）において提案された磁気データ消去装置は、コンデンサに蓄積された大量の電荷を一気に放出することにより大電流をコイルに流し、強い磁界を生じるものであったので、大容量のコンデンサを必要とし、高価であった。また、充電されたコンデンサに万が一使用者が触れれば、感電による重大事故のおそれがあった。
【０００６】
本発明は前記事情に鑑みて提案されるもので、安価で安全性が向上した磁気データ消去装置を簡易な構成により提供することを目的とする。
【課題を解決するための手段】
【０００７】
前記目的を達成するために提案される請求項１に記載の発明は、電源回路部と、磁気記録媒体または磁気記録媒体を内蔵する機器を収容する収容部と、一次コイル及び二次コイルとを備え、一次コイルは電源回路部に接続され、二次コイルは短絡可能であり、電源回路部からの通電により一次コイルを励磁することにより二次コイルに誘導電流を発生させ、一次コイルと二次コイルとの相互作用により交番磁界を発生させ、収容部に収容された磁気記録媒体に記録された磁気データを消去することを特徴とする磁気データ消去装置である。
【０００８】
二次コイルは常時短絡されていてもよいし、スイッチ等によって一時的に短絡するものであってもよい。一次コイル及び二次コイルは、収容部の外周部に巻装されることが望ましい。
【０００９】
ここで、磁気データの「消去」とは、磁気記録された情報を消去することであり、必ずしも磁気記録そのものを完全に消して白紙状態に戻すことには限られない。すなわち、磁気データを乱したり、部分的に消去したりして、データを復元して読み取ることが不可能な程度まで情報を消去することも含むものである。「磁気記録媒体を内蔵する機器」の例としては、コンピュータ本体が挙げられる。
【００１０】
請求項１に記載の磁気データ消去装置によれば、一次コイルと二次コイルとの相互作用により交番磁界が発生するので、大容量のコンデンサを要さず、装置の構成が簡易、安価となり、安全性が向上する。
【００１１】
本発明においても、コンデンサを用いてもよいが、コンデンサを用いる場合でも、従来技術のものと比較して小容量のコンデンサで済む。
【００１２】
前記交番磁界は、時間の経過に連れて磁束密度の最大値が低下する減衰交番磁界であることが好ましい（請求項２）。
【００１３】
減衰交番磁界であるため、例えば磁気記録媒体であるハードディスク装置を内蔵したコンピュータ本体を処理する場合でも、コンピュータの内部回路や液晶表示器を破損させずに磁気データを消去することができる。
【００１４】
時間の経過に連れて波高値が低下する減衰交番電圧を、前記電源回路部において生成してもよい（請求項３）。
【００１５】
前記電源回路部と一次コイルとの間にスイッチを備え、当該スイッチにより、一次コイルに電源回路部から電圧が印加される状態と、一次コイルが短絡される状態とを切り換えるものとすることが好ましい（請求項４）。
【００１６】
本発明の磁気データ消去装置の収容部は、磁気記録媒体または磁気記録媒体を内蔵する機器をそのまま収容可能な形状としておけば好都合である（請求項５）。
【００１７】
本発明の磁気データ消去装置において、一次コイル及び二次コイルは、収容部の外周部上の互いに離隔した位置に巻装されている形態であってもよい（請求項６）。
【００１８】
本発明の磁気データ消去装置において、一次コイル及び二次コイルは、一方が収容部の外周部に巻装された上に他方が巻装されている形態であってもよい（請求項７）。一次コイル及び二次コイルの導線の方向が異なっていてもよい。
【００１９】
本発明の磁気データ消去装置において、一次コイル及び二次コイルは、収容部の外周部に入り交じって巻装されている形態であってもよい（請求項８）。例えば、一次コイルと二次コイルの導線を交互に収容部の外周部上に巻き付けた形態であってもよい。
【００２０】
本発明の磁気データ消去装置において、電源回路部は、コンデンサと当該コンデンサに充電を行う充電回路を備え、前記コンデンサに充電された電荷を前記一次コイルを介して放電させて、前記収容部の内部に減衰交番磁界を発生させるものであってもよい（請求項９）。
【００２１】
二次コイルに対しても通電可能とする構成を採用することもできる（請求項１０）。
【００２２】
二次コイルに通電する方策としては、二次側コンデンサーと、当該コンデンサに充電を行う充電回路を備え、前記コンデンサに充電された電荷を二次コイルを介して放電させる構成が考えられる（請求項１１）。
【発明の効果】
【００２３】
本発明によれば、簡易な構成により、安価で安全性が向上した磁気データ消去装置が提供される。
【発明を実施するための最良の形態】
【００２４】
以下に、図面を参照して本発明の実施形態を説明する。尚、実施形態の説明に際しては、本発明の磁気データ消去装置の動作原理を先だって述べ、その後に、具体的な実施例を説明する。
【００２５】
図１は、本発明の磁気データ消去装置の動作原理を示す基本回路図、図２は一次コイルに流れる電流を示す説明図である。
【００２６】
本実施形態の磁気データ消去装置１の回路は、図１の様に、電源回路部２と、一次コイル１５と、二次コイル１７とを備えている。一次コイル１５は電源回路部２に接続され、二次コイル１７は短絡されてループ状をなしている。また、一次コイル１５及び二次コイル１７は、磁気記録媒体または磁気記録媒体を内蔵する機器を収容する収容部の外周部に巻装されている（図３）。
【００２７】
電源回路部２は、電源トランス１１、充電スイッチ１２、ブリッジダイオードＢＤおよびコンデンサ１４を備えて構成される。図示のコンデンサ１４は電解コンデンサであるが、適宜他の種類のものを用いてもよい。また、電源トランス１１、ブリッジダイオードＢＤおよび充電スイッチ１２によって、コンデンサ１４へ充電を行うための充電回路２ａを構成している。電源回路部２で生成された電圧（電荷）は、一次コイル１５に印加されて減衰交番磁界を発生させる。
【００２８】
電源トランス１１の一次側巻線は、電源スイッチ１０およびヒューズＦを介してＡＣプラグＣに接続される。電源トランス１１は、ＡＣプラグＣを介して供給される商用交流電圧（ＡＣ１００Ｖ）を昇圧してその二次側巻線に出力する。電源トランス１１の二次側巻線はブリッジダイオードＢＤおよび充電スイッチ１２を介してコンデンサ１４に接続されている。電源スイッチ１０および充電スイッチ１２を閉成すると、電源トランス１１の二次側電圧がブリッジダイオードＢＤで全波整流され、コンデンサ１４が充電される。
【００２９】
また、本実施形態では、切換スイッチ１３を一次コイル１５に直列に設けている。当該スイッチは、トランジスタ等の電子回路を用いたもので、コンデンサ１４に充電された電荷が一次コイル１５へ通電される状態（一次コイルに電源回路部から電圧が印加される状態）と、一次コイル１５が短絡される状態とを瞬時に切り換えることができるものである。
【００３０】
このような構成の磁気データ消去装置１は、以下に述べる動作によって減衰交番磁界を発生する。まず、切換スイッチ１３を短絡側へ切り換え、電源スイッチ１０および充電スイッチ１２を閉成してコンデンサ１４への充電を行う。充電に要する時間は、コンデンサ１４の容量および電源トランス１１の二次側の巻線抵抗に応じて定められる。
【００３１】
コンデンサ１４への充電が完了すると、充電スイッチ１２を開成する。この時点ではコンデンサ１４はフル充電されている。
【００３２】
次いで、切換スイッチ１３を電源側へ切り換え、ごく短時間の後、再び短絡側へ切り換える。
【００３３】
切換スイッチ１３を電源側へ切り換えたとき、コンデンサ１４に充電された電荷は一次コイル１５を介して急速に放電する。すなわち、それまでは励磁されていなかった一次コイル１５が励磁され、一次コイルにおける磁界が変化する。このとき、二次コイル１７には、一次コイルにおける磁界の変化を妨げる向きに誘導電流が流れ、二次コイル１７による磁界が生じる。
【００３４】
切換スイッチ１３が短絡側へ切り換えられると、今度は一次コイル１５に、二次コイル１７における磁界の変化を妨げる向きに起電力が生じる。一次コイル１５と二次コイル１７との相互作用により、一次コイル１５に流れる電流ｉは、図２の様に、時間の経過に連れて波高値が低下する減衰交番電流となる。二次コイル１７に流れる電流も、位相はずれるが、同様の形状となる。一次コイル１５及び二次コイル１７に流れる電流は、極性を反転しつつ減衰してゼロに至る。
【００３５】
従って、一次コイル１５の周囲には、時間の経過に伴って磁極を交互に反転させつつ磁束密度が次第に低下する減衰交番磁界が生成される。本発明の磁気データ消去装置１は、このような原理に基づいて減衰交番磁界を発生させるものであり、発生した減衰交番磁界を用いて磁気記録媒体やコンピュータ本体に内蔵されたハードディスク装置を消磁して記録された磁気データの消去を行う。則ち、本発明の磁気データ消去装置１によれば、一次コイルによる磁界と二次コイルによる磁界の相乗効果により、磁気データの消去が効率的に行われる。
【００３６】
本発明に係る磁気データ消去装置の動作原理は上記したものであるが、実際の装置においては、位相の調整、脈流の平滑化等のために抵抗やコンデンサを適宜加えてもよい。
【００３７】
以下に、図面を参照して、本発明の磁気データ消去装置の具体的な実施例を説明する。
【実施例１】
【００３８】
図３は、本発明の実施例１である磁気データ消去装置の内部構成を示す分解斜視図であり、図４は、図３に示す磁気データ消去装置を用いて消去操作を行う状態を示す斜視図である。
【００３９】
実施例１の磁気データ消去装置５は、図３の様に、本体ケース２６の内部にコイル巻装枠２８を装着する構造とされている。本体ケース２６は、断面が長方形の合成樹脂成形品で製された筒体である。また、本体ケース２６の内面には、全面に渡って薄板状の磁気遮蔽材２７が取り付けられている。
【００４０】
コイル巻装枠２８は、幅に比べて高さが低く断面が略長方形の筒体で成る枠体２８ｃの前端部にフランジ部２８ｂを設けた形状であり、枠体２８ｃの内部は、磁気テープ３３などの記録媒体やコンピュータ３２などの記録媒体内蔵機器を収容するための収容部２８ａとして機能する。コイル巻装枠２８は、合成樹脂材を成形して製され、枠体２８ｃは、本体ケース２６の内部にすっぽり収まる寸法である。
【００４１】
枠体２８ｃの外周面には、前部側に一次コイル１５が巻装され、これとは離隔して、後部側に二次コイル１７が巻装されている。巻装されたコイル１５，１７の端部は後方に引き出されてコネクタ２９，３１が取り付けられている。実施例１では、コイル１５，１７にエナメル線を用いており、巻装部分に絶縁性を有する接着剤を塗布してコイル１５，１７を枠体２８ｃに固定している。
【００４２】
本体ケース２６の内部後方には、電源回路部４の各部材が収納され、後方へ向けてＡＣプラグＣが引き出されている。また、本体ケース２６の右側面には電源スイッチ１０が設けられ、上面には充電スイッチ１２が設けられている。
【００４３】
コイル巻装枠２８は、コイル１５，１７を巻装した状態で本体ケース２６の内部に挿入して組み立てられる。則ち、本体ケース２６の内部に枠体２８ｃおよびコネクタ２９，３１を挿入し、フランジ部２８ｂを本体ケース２６の開口端に当接させて固定する。そして、コネクタ２９，３１を本体ケース２６の内部に設けられたコネクタ（不図示）に接続して組み立てが完了する。
【００４４】
組み立てられた磁気データ消去装置５は、図４の様に、本体ケース２６の内部に収容部２８ａを備えた形状であり、当該収容部２８ａにはデスクトップ型コンピュータ３２や大型の磁気テープ３３などを収容可能である。
【００４５】
次に、磁気データ消去装置５を用いて磁気データの消去を行う操作手順を説明する。まず、電源スイッチ１０をオンすると共に、充電スイッチ１２のノブを押し込んで充電スイッチ１２を所定時間閉成する。このとき、充電スイッチ１２の閉成に電気的に連動して切換スイッチ１３（図３，４には表れていない）は短絡側へ切り換えられる。これにより、コンデンサ１４は充電されて端子電圧が上昇する。
【００４６】
次いで、図４の様に、収容部２８ａにハードディスク装置３２ａを内蔵したデスクトップ型コンピュータ３２を挿入する。そして充電スイッチ１２を開成すると、切換スイッチ１３は一旦電源側へ切り換えられ、ごく短時間の後、再び短絡側へ切り換えられる。これにより、上述のごとく、コンデンサ１４に充電された電荷が一次コイル１５を介して放電され、一次コイル１５は励磁される。これに伴って、二次コイル１７には誘導電流が流れ、二次コイル１７も励磁される。両コイル１５，１７の相互作用により減衰交番電流が両コイル１５，１７に流れ、収容部２８ａ内には、電流に応じた減衰交番磁界が生ずる。収容部２８ａに収容されたコンピュータ３２は減衰交番磁界に晒され、そのハードディスク装置３２ａに記録された磁気データは消去される。また、収容部２８ａに磁気テープ３３を挿入した場合でも、同様の手順によって磁気データの消去を行うことができる。
【実施例２】
【００４７】
以下の各実施例は、コイル巻装枠２８における一次コイル１５と二次コイル１７の巻き方が実施例１と異なるのみである。実施例２（図５）において、枠体２８ｃの外周面上に一次コイル１５が巻装され、その上に重ねて二次コイル１７が巻装されている。一次コイル１５と二次コイル１７の巻線は平行に巻かれている。
【実施例３】
【００４８】
実施例３（図６）においても、枠体２８ｃの外周面上に一次コイル１５が巻装され、その上に重ねて二次コイル１７が巻装されているが、一次コイル１５と二次コイル１７の巻線は斜交するように巻かれている。
【実施例４】
【００４９】
実施例４（図７）において、一次コイル１５と二次コイル１７は入り交じって（混交して）巻かれている。より具体的には、一次コイルと二次コイルの導線は交互に枠体２８ｃの外周面上に巻き付けられている。
【００５０】
以上、本発明に係る実施例１〜４の磁気データ消去装置を説明したが、前記実施例に限らず、磁気データの消去を行う対象物に応じて種々の構成を採ることが可能である。
【００５１】
例えば、一次コイル及び／又は二次コイルを複数設けてもよい。具体例として、一対の一次コイルを両側に配置し、その間に二次コイルを配置してもよい。
【００５２】
また、前記各実施例では、電源スイッチ１０と充電スイッチ１２の双方を設けた構成としたが、充電スイッチ１２を省略し、電源スイッチ１０を断続することによってコンデンサ１４の充電および充電停止を行う構成を採ることも可能である。
【００５３】
また、前記各実施例では、充電スイッチ１２および切換スイッチ１３を設けた構成を採用したが、本発明はこのような構成に限らず、例えば、ＣＰＵを用いた構成によって消去操作を自動化し、記録媒体等を収容部に装入して手動スイッチを１回押せば充電と放電が自動的に行われるようにすることも可能である。
【００５４】
また、ブリッジダイオードＢＤに替えて、他の整流装置を用いてもよい。或いは、商用交流電源を用いず、電源回路部２として、バッテリー等の直流電源を用いてもよい。或いは、コンデンサを用いず、商用交流電源を変圧して用いてもよい。
【００５５】
また、消去操作を行う都度、一次コイル１５への通電極性を内部回路によって自動的に反転させる構成とすることも可能である。かかる構成によれば、通電時にコイルと枠体の間に作用する機械力の向きが毎回逆転するので、コイルの枠体に対する位置ずれを防止できる。
【００５６】
なお、本発明の磁気データ消去装置には、光記録データを破壊するためのマグネトロン等の電磁波発生・照射装置を併用してもよいし、破壊ピン等により記録媒体を物理的に破壊する装置を併用してもよい。
【実施例５】
【００５７】
以上説明した実施例は、いずれも図１に例示した回路を採用するものであり、一次コイル１５にのみ通電するものであるが、図８に示す回路の様に一次コイル１５と二次コイル１７の双方に通電することも考えられる。
図８に示す回路の一次コイル側は、先に説明した図１と同一である。則ち一次コイル１５は電源トランス１１、充電スイッチ１２、ブリッジダイオードＢＤ、コンデンサ１４によって構成された電源回路部２に接続されている。ただし、コンデンサ１４としては、無極性のものが用いられている。また切換スイッチ１３を一次コイル１５に直列に設けられ、コンデンサ１４に充電された電荷が一次コイル１５へ通電される状態（一次コイルに電源回路部から電圧が印加される状態）と、一次コイル１５が短絡される状態とを瞬時に切り換えることができるものである。
【００５８】
図１に示した回路では、二次コイル１７は、常時短絡されていたが、本実施例では、一次側と同様の通電回路を備えている。
則ち二次コイル１７は、電源トランス１１の一つの二次側巻線を電源とし、充電スイッチ１２’、ブリッジダイオードＢＤ’、無極性のコンデンサ１４’によって構成された電源回路部２’に接続されている。電源トランス１１’、ブリッジダイオードＢＤ’および充電スイッチ１２’は、コンデンサ１４’へ充電を行うための充電回路２ａ’を構成している。さらに二次コイル１７にも切換スイッチ１３’が配備されている。切換スイッチ１３’も切換スイッチ１３と同様、トランジスタ等の電子回路を用いたものである。切換スイッチ１３’は二次コイル１７に直列に設けられ、コンデンサ１４’に充電された電荷が二次コイル１７へ通電される状態（二次コイルに電源回路部から電圧が印加される状態）と、二次コイル１７が短絡される状態とを瞬時に切り換えることができる。
【００５９】
本実施例の磁気データ消去装置においても、一次側の切換スイッチ１３を短絡側へ切り換え、電源スイッチ１０および充電スイッチ１２を閉成してコンデンサ１４への充電を行う。また二次コイル側についてもコンデンサ１４’への充電を行う。則ち二次側の切換スイッチ１３’を短絡側へ切り換え、コンデンサ１４に充電する。
両コンデンサ１４，１４’への充電が完了すると一次コイル側及び一次コイル側双方の充電スイッチ１２，１２’を開成する。
そして二次コイル１７側の切換スイッチ１３’短絡側へ切り換える。
さらに続いて一次コイル１５側の切換スイッチ１３を、電源側へ切り換え、ごく短時間の後、再び短絡側へ切り換える。
【００６０】
一次コイル１５側の切換スイッチ１３を電源側へ切り換えたとき、一次コイル側のコンデンサ１４に充電された電荷は一次コイル１５を介して急速に放電する。すなわち、それまでは励磁されていなかった一次コイル１５が励磁され、一次コイルにおける磁界が変化する。このとき、二次コイル１７側は短絡されているから、一次コイルにおける磁界の変化を妨げる向きに誘導電流が流れ、二次コイル１７による磁界が生じる。
【００６１】
そして続いて二次コイル１７にもコンデンサ１４’に充電された電荷を二次コイル１７に流す。すなわち二次コイル１７側の切換スイッチ１３’を、電源側へ切り換え、ごく短時間の後、再び短絡側へ切り換える。
その結果、二次コイル１７に発生した誘導電流がコンデンサー１４’からの放電によって増強され、二次コイル１７が強力な磁界を発生させる。
【００６２】
そのため、一次コイル１５に、二次コイル１７における磁界の変化を妨げる向きに起電力が生じる。その後は、先の実施形態と同一で略同一であり、一次コイル１５と二次コイル１７との相互作用により、一次コイル１５に流れる電流ｉは、時間の経過に連れて波高値が低下する減衰交番電流となる。
【００６３】
従って、一次コイル１５の周囲には、時間の経過に伴って磁極を交互に反転させつつ磁束密度が次第に低下する減衰交番磁界が生成され、磁気記録媒体に記録された磁気データが消去される。
【００６４】
上記した実施形態では、二次コイル１７にコンデンサー１４’の電荷を放電して二次コイル１７に強力な磁界を発生させ、短絡状態の一次コイル１５に誘導電流を生じさせたが、この時にもう一度、一次側のコンデンサー１４に充電された電荷を二次コイル１７に放電してもよい。さらに続いて二次コイル１７に再度コンデンサー１４’の電荷を放電することも可能である。これらの場合も、切り換えスイッチ１３，１３’を適宜切り換える。必要に応じ、一次コイル１５または二次コイルの極性を反転させるための回路・素子を設けてもよい。
【図面の簡単な説明】
【００６５】
【図１】本発明の実施形態に係る磁気データ消去装置の基本回路図である。
【図２】図１に示す磁気データ消去装置において、消磁時に消磁コイルに流れる電流を示す説明図である。
【図３】本発明の実施例１である磁気データ消去装置の内部構成を示す分解斜視図である。
【図４】図３に示す磁気データ消去装置を用いて消去操作を行う状態を示す斜視図である。
【図５】本発明の実施例２である磁気データ消去装置の要部を示す斜視図である。
【図６】本発明の実施例３である磁気データ消去装置の要部を示す斜視図である。
【図７】本発明の実施例４である磁気データ消去装置の要部を示す斜視図である。
【図８】本発明の実施例５である磁気データ消去装置の等価回路図である。
【符号の説明】
【００６６】
１，５        磁気データ消去装置
２，２’，４  電源回路部
２ａ，２ａ’，４ａ  充電回路
１４，１４’  コンデンサ
１５          一次コイル
１７          二次コイル
２８ａ        収容部
３２          コンピュータ本体（デスクトップ型コンピュータ）
３３          磁気記録媒体（磁気テープ）
【図１】
2007026574.tif 000003
【図２】
2007026574.tif 000004
【図３】
2007026574.tif 000005
【図４】
2007026574.tif 000006
【図５】
2007026574.tif 000007
【図６】
2007026574.tif 000008
【図７】
2007026574.tif 000009
【図８】
2007026574.tif 000010